(57)【要約】      （修正有）【課題】地表面の僅かに上方で発光する照明器具を設置するに際して、照明器具の電源線と電線との結線部を地表面よりも僅かに上方に配置可能にして、水付着等による前記結線部の接続不良をなくすことである。【解決手段】地表面の僅かに上方で発光する照明器具を設置するために、内部に配線空間Ｓを形成して互いに組み付けられるベース体Ｖと器具設置カバー体Ｃ1 とから成る配線ボックスであって、前記ベース体は、地中に埋設されて固定される固定部３と、地中に埋設された電線Ｗ1 を前記配線空間に引き込むために底壁部１に設けられた第１及び第２の各ノックアウト部（引込み部）を備え、前記カバー体は、照明器具を設置するために上面に形成された器具設置面（器具設置部）３４を備え、前記固定部により前記配線空間の一部又は全部が地表面Ｇよりも上に配置されるように、前記配線空間の分だけ地表面から僅かに突出して当該地表面に固定される構成とする。【選択図】図４
2008192360.tif 000002
【特許請求の範囲】
【請求項１】
地中埋設される給電側と照明器具側の各電線を地表面よりも上方で中継接続するための配線ボックスであって、
前記配線ボックスは、内部に配線空間を形成して互いに組み付けられるベース体とカバー体とから成り、
前記ベース体は、地中に埋設されて固定される固定部と、地中埋設された電線を前記配線空間に引き込むために底壁部に設けられた引込み部とを備え、
前記配線空間に収容された電線どうしの結線部を地表面よりも上方に配置可能とすべく、前記固定部により前記配線空間の一部又は全部が地表面よりも上方に配置されるように、前記配線空間の分だけ地表面から僅かに突出して当該地表面に固定されることを特徴とする配線ボックス。
【請求項２】
地表面の僅かに上方で発光する照明器具を設置するための配線ボックスであって、
前記配線ボックスは、内部に配線空間を形成して互いに組み付けられるベース体とカバー体とから成り、
前記ベース体は、地中に埋設されて固定される固定部と、地中埋設された電線を前記配線空間に引き込むために底壁部に設けられた引込み部とを備え、
前記カバー体は、照明器具を設置するために上面に形成された器具設置部を備え、
前記配線空間に収容された電線と照明器具の電源線との結線部を地表面よりも僅かに上方に配置可能とすべく、前記固定部により前記配線空間の一部又は全部が地表面よりも上方に配置されるように、前記配線空間の分だけ地表面から僅かに突出して当該地表面に固定されることを特徴とする配線ボックス。
【請求項３】
前記ベース体の固定部は、前記引込み部を保護すべく底壁部よりも下方に延設される周壁部で形成されていることを特徴とする請求項１又は２に記載の配線ボックス。
【請求項４】
前記カバー体の器具設置部は、照明器具を固定するビスを螺入するために上面に形成されたビス螺入部を備えていることを特徴とする請求項１又は３に記載の配線ボックス。
【請求項５】
前記ベース体の底壁部は、当該ベース体を地表面に固定するための杭体が取付可能な杭体取付部を備えていることを特徴とする請求項１ないし４のいずれかに記載の配線ボックス。
【請求項６】
地表面の僅かに上方で発光する照明器具を設置するための照明器具設置装置であって、
内部に配線空間を形成して互いに組み付けられるベース体と、当該ベース体を共用していずれか一方が選択使用される２種類のカバー体とから成り、
前記ベース体は、地中に埋設されて固定される固定部と、地中埋設された電線を前記配線空間に引き込むために底壁部に設けられた引込み部とを備え、前記配線空間に収容された電線と照明器具の結線部、又は電線どうしの結線部を地表面よりも上方に配置可能とすべく、前記固定部により前記配線空間の一部又は全部が地表面の上方に配置されるように、前記配線空間の分だけ地表面から僅かに突出して当該地表面に固定され、
２種類の前記カバー体は、前記ベース体の上面開口を閉塞する閉塞カバー体と、上面に照明器具を設置可能な器具設置部を備えた器具設置カバー体とで構成され、
前記ベース体と前記器具設置カバー体との組み付けにより照明器具設置ボックスが形成可能であると共に、前記ベース体と前記閉塞カバー体との組み付けにより中継ボックスが形成可能であることを特徴とする照明器具設置装置。
【発明の詳細な説明】
【技術分野】
【０００１】
本発明は、地表面の僅かに上方で発光する照明器具を屋外に設置するため等に使用される配線ボックス、及び照明器具設置装置に関するものである。
【背景技術】
【０００２】
例えば、屋外において鑑賞用樹木、建物等の被照射物に対して下方から光を照射（ライトアップ）させることにより、被照射物の全体を明るくして豪華に見せようとする場合がある。このような場合に、屋外において照明器具を地表面近くに設置するには、照明器具の設置ボックスが必要となると共に、複数本の電線を分岐配線させて当該分岐部の近傍に複数の照明器具を設置するには中継ボックスの設置も必要となる。地中に電線を埋設して電線を配線する技術としては、電線の結線部を埋設基礎本体内に配置して、この埋設基礎本体を地中に埋設して「中継ボックス」或いは「中継ハンドホール」として使用するものが知られている（特許文献１参照）。特許文献１の技術では、電線の結線部が地中埋設され、水付着、浸水等による接続不良の発生があるので、当該結線部を収容したケーブル結線室に合成樹脂液を充填して防水しており、結線部の防水作業が極めて面倒となる問題があった。
【０００３】
特に、上記したように被照射物に対して地表面から大きな仰角でほぼ上方に向けて発光・照射させる場合には、地表面に近接した部分に照明器具を設置せざるを得ないため、結線部を地中配置してしまうと、当該結線部に水付着、浸水等による接続不良の問題が発生する。なお、特許文献２に開示されているように、下端部が地中埋設されたポールの上端部に照明器具を設置される電源ポールにおいては、照明器具の配置位置が地表面から高いために、電線と照明器具の電源線との結線部を地表面よりも高い位置に容易に配置できるため、配線器具を地表面に近づけて配置する場合のように、結線部の水付着、浸水等による接続不良発生の問題は少ない。
【特許文献１】特許第２８８１１６６号公報
【特許文献２】特開平１１−２４３６２９号公報
【発明の開示】
【発明が解決しようとする課題】
【０００４】
本発明は、地表面の僅かに上方で発光する照明器具を設置するに際して、照明器具の電源線と電線との結線部を地表面の僅かに上方に配置可能にして、水付着等による前記結線部の接続不良をなくすことを課題としている。
【課題を解決するための手段】
【０００５】
上記の課題を解決するための請求項１の発明は、地中埋設される給電側と照明器具側の各電線を地表面よりも上方で中継接続するための配線ボックスであって、前記配線ボックスは、内部に配線空間を形成して互いに組み付けられるベース体とカバー体とから成り、前記ベース体は、地中に埋設されて固定される固定部と、地中埋設された電線を前記配線空間に引き込むために底壁部に設けられた引込み部とを備え、前記配線空間に収容された電線どうしの結線部を地表面よりも上方に配置可能とすべく、前記固定部により前記配線空間の一部又は全部が地表面よりも上方に配置されるように、前記配線空間の分だけ地表面から僅かに突出して当該地表面に固定されることを特徴としている。
【０００６】
請求項１の発明によれば、固定部によりベース体を地中に埋設固定すると、配線ボックスは、当該ベース体とカバー体とで形成される配線空間の一部又は全部が地表面の僅かに上方に配置されるように、前記配線空間の分だけ地表面から僅かに突出して当該地表面に固定されるので、給電側と照明器具側の各電線を結線すると、その結線部は底壁部の上方の配線空間に配置される。そして、当該配線空間の一部又は全部は地表面上に配置されるために、前記結線部は地表面の僅かに上方に配置されて、水付着等による前記結線部の接続不良を防止できる。
【０００７】
また、請求項２の発明は、地表面の僅かに上方で発光する照明器具を設置するための配線ボックスであって、前記配線ボックスは、内部に配線空間を形成して互いに組み付けられるベース体とカバー体とから成り、前記ベース体は、地中に埋設されて固定される固定部と、地中埋設された電線を前記配線空間に引き込むために底壁部に設けられた引込み部とを備え、前記カバー体は、照明器具を設置するために上面に形成された器具設置部を備え、前記配線空間に収容された電線と照明器具の電源線との結線部を地表面よりも僅かに上方に配置可能とすべく、前記固定部により前記配線空間の一部又は全部が地表面よりも上方に配置されるように、前記配線空間の分だけ地表面から僅かに突出して当該地表面に固定されることを特徴としている。
【０００８】
請求項２の発明によれば、カバー体の上面の器具設置部に照明器具を設置して、当該照明器具の電源線と、ベース体の底壁部の引込み部を通して引き込まれた電線とを結線すると、その結線部は底壁部の上方の配線空間に配置される。そして、請求項１の発明と同様に、配線ボックスは、配線空間の一部又は全部が地表面上に配置されるように、前記配線空間の分だけ地表面から僅かに突出して当該地表面に固定されるので、前記結線部は地表面の僅かに上方に配置されて、水付着等による前記結線部の接続不良を防止できる。
【０００９】
また、請求項３の発明は、請求項１又は２の発明において、前記ベース体の固定部は、前記引込み部を保護すべく底壁部よりも下方に延設される周壁部で形成されることを特徴としている。
【００１０】
請求項３の発明によれば、ベース体の周壁部を地中に差し込んで埋設すると、底壁部の直下の部分まで土砂が達しなくて、電線における底壁部の引込み部に挿通される部分まで土砂が達しないため、電線と照明器具の電源線との結線部が水付着等により接続不良となるのを一層確実に防止できる。
【００１１】
また、請求項４の発明は、請求項１又は３の発明において、前記カバー体の器具設置部は、照明器具を固定するビスを螺入するために上面に形成されたビス螺入部を備えていることを特徴としている。
【００１２】
請求項４の発明によれば、照明器具を固定するビスを、カバー体の器具設置部に形成されたビス螺入部に螺入することにより、カバー体の器具設置部に照明器具を簡単に設置できる。
【００１３】
また、請求項５の発明は、請求項１ないし４のいずれかの発明において、前記ベース体の底壁部は、当該ベース体を地表面に固定するための杭体が取付可能な杭体取付部を備えていることを特徴としている。
【００１４】
請求項５の発明によれば、ベース体の杭体取付部に杭体を取付けて、当該杭体を地表面に突刺することにより、ベース体を地表面に強固に固定できる。
【００１５】
また、請求項６の発明は、地表面の僅かに上方で発光する照明器具を設置するための照明器具設置装置であって、内部に配線空間を形成して互いに組み付けられるベース体と、当該ベース体を共用していずれか一方が選択使用される２種類のカバー体とから成り、前記ベース体は、地中に埋設されて固定される固定部と、地中埋設された電線を前記配線空間に引き込むために底壁部に設けられた引込み部とを備え、前記配線空間に収容された電線と照明器具の結線部、又は電線どうしの結線部を地表面よりも上方に配置可能とすべく、前記固定部により前記配線空間の一部又は全部が地表面の上方に配置されるように、前記配線空間の分だけ地表面から僅かに突出して当該地表面に固定され、２種類の前記カバー体は、前記ベース体の上面開口を閉塞する閉塞カバー体と、上面に照明器具を設置可能な器具設置部を備えた器具設置カバー体とで構成され、前記ベース体と前記器具設置カバー体との組み付けにより照明器具設置ボックスが形成可能であると共に、前記ベース体と前記閉塞カバー体との組み付けにより中継ボックスが形成可能であることを特徴としている。
【００１６】
請求項６の発明によれば、照明器具設置ボックスとして使用する場合には、ベース体と器具設置カバー体とを組み付けて、当該器具設置カバー体の上面の器具設置部に照明器具を設置して、照明器具設置ボックスの配線空間に引き込まれた電線と照明器具の電源線との結線部を前記配線空間に収容すると、固定部によりベース体を地表面に固定することにより、前記配線空間の一部又は全部が地表面の僅かに上方に配置されるように、前記配線空間の分だけ地表面から僅かに突出して当該地表面に固定されるので、前記結線部に水付着等による接続不良が発生しなくなる。一方、中継ボックスとして使用する場合には、ベース体と閉塞カバー体とを組み付けると、ベース体における底壁部よりも上方の配線空間が閉塞カバー体により閉塞されるため、配線空間を通る電線、或いは配線空間に収容された電線同士の結線部に水が付着する等の不具合がなくなる。
【００１７】
このように、請求項６の発明は、ベース体を共用する閉塞カバー体と器具設置カバー体との２種類のカバー体を形成しておくことにより、使用目的の異なる照明器具設置ボックスと中継ボックスとの２種類のボックスを形成できて、地表面の僅かに上方で発光する照明器具を屋外に設置したり、中継ボックスから分岐された各電線を端末の照明器具に接続したりする場合に、いずれの場合でも複数本の電線を分岐させた各電線と各照明器具の電源線との結線部に水付着等することなく、配線可能となる。また、照明器具設置ボックスと中継ボックスとは、ベース体を共用していて、全体としての部品点数が減少するので、施工、及び部品管理の双方が容易となる。
【発明の効果】
【００１８】
請求項１の発明では、地中埋設される給電側と照明器具側の各電線を中継接続する際に、各電線の結線部を地表面の僅かに上方に配置することが可能となり、また請求項２の発明では、地表面の僅かに上方で発光する照明器具を屋外に設置する際に、照明器具の電源線と電線との結線部を地表面の僅かに上方に配置することが可能となり、いずれの発明においても結線部が水付着等されて接続不良となるのが防止される。
【００１９】
また、請求項６の発明に係る照明器具設置装置によれば、ベース体を共用する閉塞カバー体と器具設置カバー体との２種類のカバー体を備えていて、ベース体と閉塞カバー体との組付けにより、中継ボックスを形成できると共に、ベース体と器具設置カバー体との組付けにより、照明器具設置ボックスが形成できるので、地表面の僅かに上方で発光する照明器具を屋外に設置したり、中継ボックスから分岐された各電線を端末の照明器具に接続したりする場合に、いずれの場合でも結線部を地表面の僅かに上方に配置できて、水付着等による結線不良を防止できると共に、部品点数（部品の種類）が減少するので、施工、及び部品管理の双方が容易となる。
【発明を実施するための最良の形態】
【００２０】
以下、最良の実施形態を挙げて本発明について更に詳細に説明する。図１は、照明器具設置ボックスＢ1 に照明器具Ｌを設置した状態の斜視図であり、図２は、同じく分解斜視図であり、図３は、ベース体Ｖに複数の電線管Ｐ1 ，Ｐ2 を接続すると共に、二股状杭体Ｋ3 を取付けた状態の斜視図であり、図４は、照明器具設置ボックスＢ1 に照明器具Ｌを設置した状態の断面図〔図６（イ）のＸ3 −Ｘ3 線断面相当図〕であり、図５は、中継ボックスＢ2 の断面図であり、図６（イ），（ロ）は、それぞれベース体Ｖの平面図及び底面図であり、図７（イ），（ロ），（ハ）は、それぞれ図６（イ）のＸ1 −Ｘ1 線、Ｘ2 −Ｘ2 線、及びＸ3 −Ｘ3 線断面図であり、図８は、ベース体Ｖを上下反転させた状態の斜視図であり、図９（イ）は、器具設置カバー体Ｃ1 の平面図であり、同（ロ）は、同（イ）のＹ−Ｙ線断面図であり、図１０（イ），（ロ）は、閉塞カバー体Ｃ2 の使用状態、及び上下反転状態の斜視図であり、図１１（イ）は、閉塞カバー体Ｃ2 の平面図であり、同（ロ），（ハ）は、それぞれ同（イ）のＺ1 −Ｚ1 線及びＺ2 −Ｚ2 線断面図である。
【００２１】
最初に、本発明に係る照明器具設置ボックスＢ1 と中継ボックスＢ2 について説明する。照明器具設置ボックスＢ1 は、図１、図２及び図４に示されるように、上面の器具設置面３４に照明器具Ｌを設置するためのボックスであって、地表面に固定されるベース体Ｖと、当該ベース体Ｖの上端部に嵌合される器具設置カバー体Ｃ1 とで構成される。一方、中継ボックスＢ2 は、複数本の電線（給電線）Ｗ1 を分岐配線させるためのボックスであって、図５に示されるように、地表面に固定されるベース体Ｖと、当該ベース体Ｖの上面開口を閉塞する閉塞カバー体Ｃ2 とで構成される。即ち、照明器具設置ボックスＢ1 及び中継ボックスＢ2 は、ベース体Ｖを共用していて、その上端部に嵌合される各カバー体Ｃ1 ，Ｃ2 の構成が異なる。
【００２２】
ベース体Ｖは、図２、図６及び図７に示されるように、全体形状が円筒状をなしていて、底壁部１により周壁部２が上下方向に二分されて、当該周壁部２における底壁部１よりも下方の部分は地表面に差し込まれて、ベース体Ｖを地表面に対して固定する固定部３となっている。また、周壁部２の上端には、当該周壁部２よりも内径及び外径の双方が大きい嵌合部４が一体に形成され、前記周壁部２における底壁部１よりも上方の空間は、配線空間Ｓとなっていて、当該周壁部２における底壁部１よりも上方の部分の外側には、所定間隔をおいて周溝形成壁部５が一体に形成され、当該周溝形成壁部５と、その内側の周壁部２との間に、当該周壁部２の外径に対応する内径を有する第１円筒杭体Ｋ1 の上端部を嵌合させるための杭体嵌合溝６が形成されている。杭体嵌合溝６は、第１円筒杭体Ｋ1 の挿入方向（周壁部２の軸心方向）に沿って僅かにテーパー状に形成されて、第１円筒杭体Ｋ1 の嵌合を確実にしている。
【００２３】
底壁部１の上方であって、しかも周方向に沿って特定の外周部には、嵩高部７が形成され、当該嵩高部７の裏面には、前記第１円筒杭体Ｋ1 よりも遥かに外径の小さな円筒状の第２円筒杭体Ｋ2 の上端部を嵌合させるための杭体嵌合孔８が形成され、当該杭体嵌合孔８の両側には、上方から二股状杭体Ｋ3 の各杭部８１を挿入可能な一対の杭体挿入孔９が形成されている。第２円筒杭体Ｋ2 の上端部が嵌合される杭体嵌合孔８の上端面は閉塞されているが、一対の杭体挿入孔９の上端部は、二股状杭体Ｋ3 の使用時に貫通孔が形成可能なように打抜き可能な薄肉壁部１１で閉塞されている。また、底壁部１には、大きな一対の第１ノックアウト部１２と小さな１つの第２ノックアウト部１３とが形成されている。一対の第１ノックアウト部１２は、円筒状の周壁部２の横断面の中心に対して対称に配置され、第２ノックアウト部１３の中心は、一対の第１ノックアウト部１２の各中心を結ぶ直線に対して直交する別の直線上において、円筒状の周壁部２の横断面の中心に対して前記杭体嵌合孔８の中心とほぼ対称位置に配置されている。一対の第１ノックアウト部１２は、大径と小径の各ノックアウト孔のいずれかが打抜き可能な構造になっている。第１及び第２の各ノックアウト部１２，１３を打ち抜いたノックアウト孔１２’，１２”，１３’は、ベース体Ｖの下方から電線管Ｐ1 ，Ｐ2 の上端部が差し込まれる差込み部となる。また、固定部３の下端部の相対向する部分には、円弧状の切欠き部１４が形成されて、地表面に対して差し込み易くしてある。
【００２４】
また、ベース体Ｖの嵌合部４の内周面であって、しかも第２ノックアウト部１３の中心と杭体嵌合孔８の中心とを結ぶ直線が当該嵌合部４と交差する部分には、当該嵌合部４に嵌合された器具設置カバー体Ｃ1 又は閉塞カバー体Ｃ2 をベース体Ｖに対して一体に連結するビスＤ1 （図２、図４及び図５参照）を螺入可能なビス螺入筒部１５が相対向して周壁部２の軸方向に沿って形成されている。また、前記嵌合部４の外周面には、Ｏリング１６を嵌合させるＯリング溝１７（図２参照）が形成され、当該Ｏリング溝１７の下方であって、しかも前記一対のビス螺入筒部１６を結ぶ直線と直交する直線上に、ベース体Ｖに対する器具設置カバー体Ｃ1 又は閉塞カバー体Ｃ2 の周方向の位置決めを行って、必要に応じて係合可能な一対の係合突条１８が相対向して周方向に沿って形成されている。なお、図６及び図７において１９は、嵌合部４と周溝形成壁部５との交差部に形成された段差面を示す。
【００２５】
次に、図２、図４、図８及び図９を参照して、器具設置カバー体Ｃ1 について説明する。器具設置カバー体Ｃ1 は、短円筒状の周壁部３１の上面が天壁部３２で閉塞された形状であって、前記周壁部３１の略下半部が前記ベース体Ｖの嵌合部４の外側に嵌合される。カバー体Ｃ1 の周壁部３１の下端部の内周面には、ベース体Ｖに対するカバー体Ｃ1 の周方向の位置決めを行うために、当該ベース体Ｖの一対の係合突条１８を収容して、当該周壁部３１の下端面を前記ベース体Ｖの段差面１９に当接可能にするための一対の位置決め凹部３３が相対向して形成されている。
【００２６】
カバー体Ｃ1 の天壁部３２の上面は、照明器具Ｌを設置するための器具設置面３４となっていて、前記天壁部３２には、当該天壁部３２に照明器具Ｌを固定するビスＤ2 を螺入するためのビス螺入孔３５ａ，３５ｂ，３５ｃ及びビス螺入溝３６が形成されている。即ち、天壁部３２の中心部には、照明器具Ｌの電源線Ｗ2 を挿通するノックアウト孔３７’（図４参照）が形成可能なノックアウト部３７が形成されて、当該ノックアウト部３７を通る直線上に一対一組となった各ビス螺入孔３５ａ，３５ｂ，３５ｃが当該ノックアウト部３７に対して対称配置されて形成されている。また、各ビス螺入孔３５ａ，３５ｂ，３５ｃとは異なる部分には、複数のビス螺入溝３８が半径方向に沿って形成されている。更に、天壁部３２における一対一組となった各ビス螺入孔３５ａ，３５ｂ，３５ｃの最も外側の部分には、ベース体Ｖに対してカバー体Ｃ1 を固定するビスＤ1 を挿通するための一対のビス挿通孔３９が形成されている。また、一対のビス螺入孔３５ｂ，３５ｃ及び一対のビス挿通孔３９が形成されている部分は、カバー体Ｃ1 の内部空間４１内に大きく突出した突出部４２が形成されて、当該突出部４２の下端面４２ａは、ベース体Ｖの嵌合部４の上端面４ａに当接可能となっている。
【００２７】
次に、図５、図１０及び図１１を参照して、閉塞カバー体Ｃ2 について説明する。閉塞カバー体Ｃ2 は、短円筒状の周壁部５１の上面が、わん曲した天壁部５２で閉塞された形状であって、周壁部５１の下端部内周面と相対向する部分には、前記ベース体Ｖの一対の係合突条１８と係合可能な一対の係合溝５３が周方向に形成されていると共に、ベース体Ｖの段差面１９に閉塞カバー体Ｃ2 の下端面を当接させて当該ベース体Ｖの嵌合部４の外側に閉塞カバー体Ｃ2 を嵌合可能なように、ベース体Ｖの一対の係合突条１８の外側に配置される各凹部５４が、前記係合溝５３に接続し、しかも底面側に開口して形成されている。また、ベース体Ｖの各係合突条１８を閉塞カバー体Ｃ2 の各凹部５４に収容することにより、ベース体Ｖとカバー体Ｃ2 とを係合させて周方向の位置決めを行った状態で、ベース体Ｖに対して閉塞カバー体Ｃ2 を固定するビスＤ1 を挿通するためのビス挿通筒部５５が閉塞カバー体Ｃ2 の内部空間５６に突出した形態で形成されている。天壁部５２におけるビス挿通筒部５５に接続する部分には、ビスＤ1 の頭部を収容するための凹部５７が形成されている。
【００２８】
次に、図１、図２及び図４を参照して、ベース体Ｖの嵌合部４の外側に嵌合される器具設置カバー体Ｃ1 の上面の器具設置面３４に照明器具Ｌが設置される構造について簡単に説明する。器具設置カバー体Ｃ1 の天壁部３２の上面に円板状の器具取付板６１が載置されて、当該器具取付板６１は、器具設置カバー体Ｃ1 の天壁部３２に一対のビスＤ2 を介して固定される。各ビスＤ2 は、器具設置カバー体Ｃ1 の天壁部３２に形成された各ビス螺入孔３５ｂに螺入されて、器具設置カバー体Ｃ1 の天壁部３２の上面に器具取付板６１が固定される。器具取付板６１の中心部には、照明体６２の電源線Ｗ2 を挿通するための電源線挿通孔６３が形成され、器具取付板６１には、前記電源線挿通孔６３に対して対称位置に一対のビスＤ3 が上方に向けて固定されている。
【００２９】
照明器具Ｌは、上面が閉塞された短円筒状の固定具６４の上面にブラケット６５が一体に取付けられ、照明体６２のカバー６６が前記ブラケット６５に水平な回動支点軸心Ｅを中心にして取付角度を調整可能にして取付けられている。回動支点軸心Ｅの部分に設けられたロックナット６７により、照明体６２の取付角度を固定している。器具設置カバー体Ｃ1 の上面に固定された器具取付板６１の各ビスＤ3 が、照明器具Ｌの固定具６４の上板６４ａに形成された一対のビス挿通孔６４ｂに挿通されて、各ビスＤ3 の上板６４ａから突出した部分に袋ナット６８が螺合されて、器具設置カバー体Ｃ1 に照明器具Ｌが一体に設置される（取付けられる）。
【００３０】
次に、図１２及び図１３に示されるようにして、屋外において地表面から大きな仰角でほぼ上方に発光する複数の照明器具Ｌにより建物９１の壁面９２に取付けられた看板９３を照射（ライトアップ）させる場合について説明する。図１２は、各照明器具設置ボックスＢ1 内で電線Ｗ1 と各照明器具Ｌの電源線Ｗ2 とが結線された状態を示す模式的配線図であり、図１３は、複数の照明器具Ｌにより建物９１の壁面９２に取付けられた看板９３を照射している状態の斜視図である。図１２において、３個の各照明器具設置ボックスＢ1 を区別する必要がある場合には、符号（Ｂ1)の後に（イ），（ロ）の別の符号を付加する。なお、現実の配線作業においては、ベース体Ｖを地表面Ｇに固定する場合に使用する杭体は、多数の照明器具設置ボックスＢ1 及び中継ボックスＢ2 において共通していることが多いと思われるが、杭体には種々の構造のものが用いられることを説明するため、図１、図３ないし図５においては、個々のボックスＢ1 ，Ｂ2 において異なる杭体を示してある。
【００３１】
まず、ベース体Ｖには、２個（一対）の第１ノックアウト部１２と１個の第２ノックアウト部１３との計３個のノックアウト部１２，１３が形成され、しかも第１ノックアウト部１２は、中心を共通にして内径の異なる２種類のノックアウト孔１２’，１２”が形成可能になっていて、内径の小さなノックアウト孔１２’の内径は、第２ノックアウト部１３を打ち抜いたノックアウト孔１３’の内径よりも大きい。従って、ベース体Ｖの底壁部１には、内径の異なる３種類のノックアウト孔１２’，１２”，１3 ’が打抜き可能であり、最大３個のノックアウト孔を形成できて、ベース体Ｖの底壁部１には、同時に最大３本の電線管Ｐ1 ，Ｐ2 が接続可能である（図３参照）。電線Ｗ1 の配線方向に沿って複数の照明器具設置ボックスＢ1 を配置する場合には、端末に接続される照明器具設置ボックスＢ1 には１本の電線管Ｐ1 （Ｐ2 ）が接続されるのみであるが、他の照明器具設置ボックスＢ1 には２本の電線管Ｐ1 （Ｐ2 ）が接続される。また、中継ボックスＢ2 の場合には、３本の電線管Ｐ1 （Ｐ2 ）が接続されて、給電側の電線Ｗ1 は、照明器具側の２本の電線Ｗ1 に接続される。第１ノックアウト部１２を打ち抜いて大きな内径のノックアウト孔１２’を明けると、当該ノックアウト孔１２’には、コネクタを使用することなく、対応する太い電線管Ｐ1 の一端部が下方からそのまま挿通されて、当該電線管Ｐ1 の一端部（上端部）は、ベース体Ｖの配線空間Ｓ内に入り込む。また、第２ノックアウト部１３を打ち抜いたノックアウト孔１３’には、コネクタ７１を介して対応する細い電線管Ｐ2 が接続される。
【００３２】
また、照明器具設置ボックスＢ1 を形成するには、図１、図２及び図４に示されるように、カバー体Ｃ1 に照明器具Ｌを設置して（取付けて）、カバー体Ｃ1 の天壁部３２の中心部に打ち抜かれて形成されたノックアウト孔３７’から前記照明器具Ｌの電源線Ｗ2 を引き出して、当該電源線Ｗ2 と、ベース体Ｖに接続された２本の各電線管Ｐ1 から引き出された２本の電線Ｗ1 との計３本の電線Ｗ1 及び電源線Ｗ2 の各心線部８０をそれぞれ結線して、２つの各結線部Ｆをベース体Ｖの配線空間Ｓ又はカバー体Ｃ1 の内部空間４１に配置しておく。その後に、ベース体Ｖの一対の係合突状１８と器具設置カバー体Ｃ1 の一対の位置決め凹部３３との周方向の位置を合致させた状態で、ベース体Ｖの嵌合部４に対して器具設置カバー体Ｃ1 の周壁部３１を押し込むことにより、当該ベース体Ｖの嵌合部４の外側にカバー体Ｃ1 の周壁部３１の略下半部を嵌合させて、一対のビスＤ1 を使用してベース体Ｖに対してカバー体Ｃ1 を固定する。
【００３３】
また、中継ボックスＢ2 は、図５及び図１４に示されるように、ベース体Ｖと閉塞カバー体Ｃ2 とで構成されて、ベース体Ｖの底壁部１には、２本の電線管Ｐ1 と１本の電線管Ｐ2 とが接続されている。計３本の各電線管Ｐ1 ，Ｐ2 には、それぞれ１本の電線Ｗ1 が収容されて、その１本は、給電側からの電線であり、残りの２本は、２つの照明器具Ｌの各電源線Ｗ2 に接続される照明器具側の電線である。ベース体Ｖに対して閉塞カバ体ーＣ2 を嵌合させる前に、計３本の電線Ｗ1 を互いに結線しておく。３本の各電線Ｗ1 を結線した後に、ベース体Ｖの一対の係合突条１８と、閉塞カバー体Ｃ2 の一対の凹部５４との周方向の位置を合致させておいて、ベース体Ｖの嵌合部４の外側に閉塞カバー体Ｃ2 の周壁部５１の下端部を嵌合させ、その後にベース体Ｖに対して閉塞カバー体Ｃ2 を所定方向に回動不能となるまで回動させると、ベース体Ｖの各係合突条１８と閉塞カバー体Ｃ2 の係合溝５３とが係合し、この状態でビスＤ1 を介してベース体Ｖに対して閉塞カバー体Ｃ2 を固定する。図１４で示される例では、中継ボックスＢ2 で分岐された２本の電線Ｗ1 は、それぞれ本発明に係る器具設置ボックスＢ1 内において照明器具Ｌの電源線Ｗ2 と結線されているが、中継ボックスＢ2 で分岐された２本の電線Ｗ1 は、地表面Ｇの僅かに上方に配置される照明器具Ｌに限られず、地表面Ｇから高い位置に設置される照明器具、或いは他の電源を必要とする器具に接続されることもある。
【００３４】
ここで、照明器具設置ボックスＢ1 及び中継ボックスＢ2 を構成するベース体Ｖは、屋外において固定部３を地中に差し込むことにより、底壁部１、及び最も外側の周溝形成壁部５が地表面Ｇに接するまで前記固定部３が地中に埋設されて、当該地表面Ｇに対して固定される。このため、ベース体Ｖにおける底壁部１よりも上方の配線空間Ｓの全体は、地表面Ｇに接した状態で当該地表面Ｇの僅かに上方に配置されるため、当該配線空間Ｓに配置される電線Ｗ1 と照明器具Ｌの電源線Ｗ2 との結線部Ｆは、地表面よりも僅かに高い位置に配置される。しかも、ベース体Ｖの嵌合部４と、当該嵌合部４の外側に嵌合された閉塞カバー体Ｃ2 の周壁部５１とは、Ｏリング１６によって水密が図られているため、ボックスＢ1 ，Ｂ2 の周辺から配線空間Ｓの内部に水が浸入することはない。また、照明器具設置ボックスＢ1 の固定部３を地中埋設することにより底壁部１が保護されて、当該底壁部１の直下まで土砂が達しなくなるので、各ノックアウト孔１２’，１２”，１３’と、当該各ノックアウト孔１２’，１２”，１３’に差し込まれた各電線管Ｐ1 ，Ｐ2 との隙間から配線空間Ｓ内に水が浸入するのを防止できる。従って、照明器具設置ボックスＢ1 の配線空間Ｓ内に配置された前記結線部Ｆに水が付着する恐れがなくなって、接続不良を防止できる。
【００３５】
ここで、図４及び図５で示される各例では、照明器具設置ボックスＢ1 及び中継ボックスＢ2 の地表面Ｇからの各突出高さＨ1 ，Ｈ2 は、それぞれ約７５，９０ｍｍであり、一般的には、人が普通の歩行姿勢で容易に跨ぐことができる高さであって、２０ないし１００ｍｍが好ましい。このような突出高さであると、人の歩行中においてボックスＢ1 ，Ｂ2 に足が当たって怪我することもないため、安全である。
【００３６】
ここで、ベース体Ｖを地表面Ｇに対して固定するには、上記したように当該ベース体Ｖの固定部３を直接に地中に突き刺して固定してもよいし、当該ベース体Ｖの杭体取付部（杭体嵌合溝６、杭体嵌合孔８、一対の杭体挿入孔９）に取付けられた各杭体Ｋ1 〜Ｋ3 を介して固定してもよい。図１及び図４に示される例は、ベース体Ｖの杭体嵌合溝６に、第１円筒杭体Ｋ1 の上端部を挿入することにより、当該ベース体Ｖに第１円筒杭体Ｋ1 を取付けて、当該第１円筒杭体Ｋ1 を地中に突き刺すことにより、地表面Ｇに対してベース体Ｖを固定する例である。この例では、ベース体Ｖの固定部３の外径よりも大きな外径を有する第１円筒杭体Ｋ1 によりベース体Ｖの地中埋設部の全体が覆われるので、当該ベース体Ｖの底壁部１に形成されたノックアウト孔１２’，１２”，１３’と、各電線管Ｐ1 ，Ｐ2 との間の隙間から配線空間Ｓ内に水が浸入するのが効果的に防止され、前記結線部Ｆに水が付着して接続不良となる不具合を一層確実に防止できる利点がある。
【００３７】
図５に示される例は、ベース体Ｖの杭体嵌合孔８に前記第１円筒杭体Ｋ1 よりも遥かに外径の小さな第２円筒杭体Ｋ2 の上端部を挿入して、当該ベース体Ｖに第２円筒杭体Ｋ2 を取付けて、当該第２円筒杭体Ｋ2 及びベース体Ｖの固定部３の双方を地中に埋設して、地表面Ｇに対してベース体Ｖを固定する例である。この例では、ベース体Ｖは、地表面Ｇに対して第２円筒杭体Ｋ2 及びベース体Ｖの固定部３の双方で固定されるので、固定強度が高まる利点がある。更に、図３に示される例は、ベース体Ｖに設けられた一対の杭体挿入孔９に、当該ベース体Ｖの上方から二股状杭体Ｋ3 の各杭部８１をそれぞれ挿入して、当該各杭部８１をベース体Ｖの下方に大きく突出させたものであって、ベース体Ｖの固定部３と二股状杭体Ｋ3 との双方によって、地表面Ｇに対してベース体Ｖを固定できる。よって、地表面Ｇに対するベース体Ｖの固定強度が高められる。なお、図３において８２は、各杭部８１を連結する連結部であって、ベース体Ｖの嵩高部７の上面に接して配置される。
【００３８】
このように、第１及び第２の各円筒杭体Ｋ1 ，Ｋ2 又は二股状杭体Ｋ3 を使用して、照明器具設置ボックスＢ1 及び中継ボックスＢ2 を地表面Ｇに対して固定すると、各ボックスＢ1 ，Ｂ2 の地表面Ｇに対する固定強度が大きくなるため、ベース体Ｖの上半部と、当該ベース体Ｖの周壁部２に嵌合されたカバー体Ｃ1 ，Ｃ2 とが地表面Ｇから上方に突出していて、仮に当該突出部に人の足が当たったりしても、容易には倒れない利点もある。
【００３９】
また、照明器具設置ボックスＢ1 と中継ボックスＢ2 とは、ベース体Ｖを共用していて、全体としての部品数（部品の種類）が減少するので、施工、及び部品管理の双方が容易となる。
【００４０】
また、上記実施例では、ベース体Ｖの底壁部１が地表面Ｇに接することにより、当該ベース体Ｖ内の配線空間Ｓの全体が地表面Ｇに接した状態で当該地表面Ｇよりも僅かに上方に配置された例であるが、前記配線空間Ｓは、その一部のみが地表面よりも僅かに上方に配置されて、残りは地表面Ｇよりも下方に配置されていたり、或いは前記配線空間Ｓの全体が地表面Ｇと僅かの間隔をおいて、当該地表面Ｇよりも上方に配置されるように構成することも可能である。
【００４１】
また、上記実施例は、照明器具は、地表面の僅かに上方に設置されて、被照射物に対して大きな仰角でほぼ上方を照射するものであるが、地表面の僅かに上方に設置されていて、スポットライト的に被照射物の足元部を照射する照明器具の場合でも、本発明に係る照明器具設置ボックスの使用は可能である。
【図面の簡単な説明】
【００４２】
【図１】照明器具設置ボックスＢ1 に照明器具Ｌを設置した状態の斜視図である。
【図２】同じく分解斜視図である。
【図３】ベース体Ｖに複数の電線管Ｐ1 ，Ｐ2 を接続すると共に、二股状杭体Ｋ3 を取付けた状態の斜視図である。
【図４】照明器具設置ボックスＢ1 に照明器具Ｌを設置した状態の断面図〔図６（イ）のＸ3 −Ｘ3 線断面相当図〕である。
【図５】中継ボックスＢ2 の断面図である。
【図６】（イ），（ロ）は、それぞれベース体Ｖの平面図及び底面図である。
【図７】（イ），（ロ），（ハ）は、それぞれ図６（イ）のＸ1 −Ｘ1 線、Ｘ2 −Ｘ2 線、及びＸ3 −Ｘ3 線断面図である。
【図８】ベース体Ｖを上下反転させた状態の斜視図である。
【図９】（イ）は、器具設置カバー体Ｃ1 の平面図であり、（ロ）は、（イ）のＹ−Ｙ線断面図である。
【図１０】（イ），（ロ）は、閉塞カバー体Ｃ2 の使用状態、及び上下反転状態の斜視図である。
【図１１】（イ）は、閉塞カバー体Ｃ2 の平面図であり、（ロ），（ハ）は、それぞれ（イ）のＺ1 −Ｚ1 線及びＺ2 −Ｚ2 線断面図である。
【図１２】各照明器具設置ボックスＢ1 内で電線Ｗ1 と各照明器具Ｌの電源線Ｗ2 とが結線された状態を示す模式的配線図である。
【図１３】複数の照明器具Ｌにより建物９１の壁面９２に取付けられた看板９３を照射している状態の斜視図である。
【図１４】中継ボックスＢ2 内に各電線Ｗ1 が結線された状態を示す模式的配線図である。
【符号の説明】
【００４３】
Ｂ1 ：照明器具設置ボックス（配線ボックス）
Ｂ2 ：中継ボックス（配線ボックス）
Ｃ1 ：器具設置カバー体（カバー体）
Ｃ2 ：閉塞カバー体（カバー体）
Ｆ：結線部
Ｇ：地表面
Ｈ1 ，Ｈ2 ：地表面からの配線ボックスの突出高さ
Ｋ1 ：第１円筒杭体（杭体）
Ｋ2 ：第２円筒杭体（杭体）
Ｋ3 ：二股状杭体（杭体）
Ｐ1 ，Ｐ2 ：電線管
Ｓ：配線空間
Ｖ：ベース体
Ｗ1 ：電線
Ｗ2 ：電源線
３：ベース体の固定部（周壁部）
６：杭体嵌合溝（杭体取付部）
８：杭体嵌合孔（杭体取付部）
９：杭体挿入孔（杭体取付部）
１２：第１ノックアウト部（電線の引込み部）
１３：第２ノックアウト部（電線の引込み部）
３４：器具設置面（器具設置部）
３５ａ〜３５ｃ：ビス螺入孔（ビス螺入部）
８０：電線又は電源線の心線部
【図１】
2008192360.tif 000003
【図２】
2008192360.tif 000004
【図３】
2008192360.tif 000005
【図４】
2008192360.tif 000006
【図５】
2008192360.tif 000007
【図６】
2008192360.tif 000008
【図７】
2008192360.tif 000009
【図８】
2008192360.tif 000010
【図９】
2008192360.tif 000011
【図１０】
2008192360.tif 000012
【図１１】
2008192360.tif 000013
【図１２】
2008192360.tif 000014
【図１３】
2008192360.tif 000015
【図１４】
2008192360.tif 000016